(57)【特許請求の範囲】
【請求項１】
半導体物質に２個の親光子を照射して、二光子共鳴励起によって角運動量が０の状態の励起子分子を生成し、
生成した励起子分子を２個の光子に同時に分裂させて、量子もつれの光子対を生成することを特徴とする量子もつれ光子対の生成方法。
【請求項２】
前記半導体物質が塩化第一銅であることを特徴とする請求項１に記載の量子もつれ光子対の生成方法。
【請求項３】
前記親光子の波長が紫外領域であることを特徴とする請求項１に記載の量子もつれ光子対の生成方法。
【発明の詳細な説明】
【技術分野】
【０００１】
本発明は、量子もつれの状態にある光子対の生成方法に関するものである。
【背景技術】
【０００２】
近年、電子商取引や電子メール等による情報通信技術の進展が著しく、これに伴い、情報伝送における暗号技術についても研究開発が行われている。該暗号技術として、最近注目を集めているものとして、量子暗号がある。
【０００３】
量子暗号では、量子力学におけるハイゼンベルグの不確定性原理により、物理現象によって安全性が保証される。該不確定性原理では、観測によってその状態は変化するため、通信が盗聴(観測)されると、必ずそれが明らかになり、それに応じて通信を遮断するなどの処置が可能なため、盗聴が物理学的に不可能とされる。また、粒子を複製することも不確定性原理によって不可能である。
【０００４】
量子暗号における重要な要素として量子テレポーテーションがあげられる。量子テレポーテーションは、粒子の量子的な情報だけを別の場所に移す技術である。該量子テレポーテーションは、量子の絡み合い（量子もつれ）を利用して、光子同士が情報をやり取りすることにより実現される。量子もつれの状態にある光子対は、一方の量子的状態が決まると、他方の量子状態も決まるという性質があり、この性質は、２光子間の距離に依存しない。
【０００５】
また、今日では、半導体の微細加工技術として、光を用いたリソグラフィが行われている。リソグラフィとは、露光転写した画像を基として画像を形成する技術である。従来のリソグラフィでは、光の回折による空間分解能の限界のため、光の波長程度以下の微細加工が困難である。しかしながら、量子もつれにある多光子状態において、そのド・ブロイ波長が短くなることを利用し、従来の古典的回折限界を超えた微細加工を実現する技術、すなわち量子リソグラフィの提案・検証がなされている（非特許文献１，２参照）。
【０００６】
上記量子テレポーテーションおよび量子リソグラフィの技術では、量子もつれの状態にある光子対が必要不可欠である。
【０００７】
現在、量子もつれの状態にある光子対の生成方法として、非線形結晶によるパラメトリック下方変換（ＰＤＣ）が盛んに用いられている（非特許文献３，４参照）。
【０００８】
一方最近になって、半導体を用いた量子もつれ光子対の生成が提案されている。特に、量子ドット中の励起子分子によるカスケード蛍光について、非特許文献５に開示されている。
【０００９】
また、非特許文献６では、半導体結晶における励起子分子に共鳴したハイパーパラメトリック散乱（ハイパーラマン散乱）について理論的に提唱している。
【非特許文献１】A.N.Boto,P.Kok,D.S.Abrams,S.L.Braunstein,C.P.Williams,and J.P.Dowing,“Physical Review Letters”85 (2000) p.2733-2736
【非特許文献２】D.V.Strekalov and J.P.Dowing,“J.Mod.Opt.”49 (2002) ,p.519
【非特許文献３】P.G.Kwiat,K.Mattle,H.Weinfurter,and A.eilinger,“Physical Review Letters”75 (1995) p.4337-4341
【非特許文献４】P.G.Kwiat,E.Waks,A.G.White,I.Appelbaum,and P.H.Eberhard,“Physical Review A”60,Number2 (1999) ,R773-R776
【非特許文献５】C.Santoni,D.Fattal,M.Pelton,G.G.Solomon,and Y.Yamamoto,“Physical Review B”66 (2002) 045308
【非特許文献６】S.Savasta,G.Martino,R.Girlanda,“Solid State Communications”111 (1999) p.495-500
【発明の開示】
【発明が解決しようとする課題】
【００１０】
しかしながら、パラメトリック下方変換による方法では、二次の非線形過程により１個の親光子（ポンプ光子）から１対の量子もつれ光子対を発生するために、得られた光子の波長は、親光子の波長の倍となる。そのため、短波長域の光子対の生成が難しく、多光子の量子もつれの生成や、量子リソグラフィなどへの応用ができなかった。
【００１１】
また、非特許文献５では、量子ドットの形状非対称性のために、偏光に関する量子もつれ光子対の生成ができない。さらに、非特許文献６では、理論の開示であり、具体的に実現可能かどうか不明である。また、非特許文献６において、発生する光子対の時間相関に関する記載があるが、偏光に関する量子もつれについて開示されていない。
【００１２】
本発明は、上記の問題点に鑑みてなされたものであり、その目的は、各光子が短波長であり、かつ、偏光に関する量子もつれの光子対の生成を可能とする量子もつれ光子対の生成方法を実現することにある。
【課題を解決するための手段】
【００１３】
本発明に係る量子もつれ光子対の生成方法は、上記の課題を解決するために、半導体物質に２個の親光子を照射して、二光子共鳴励起によって角運動量が０の状態の励起子分子を生成し、生成した励起子分子を２個の光子に同時に分裂させて、量子もつれの光子対を生成することを特徴としている。
【００１４】
ここで、量子もつれとは、２個の粒子が一つの波動関数を共有しており、一方の粒子の特性が観測された段階で、他方の粒子の特性も決定される状態のことを意味する。なお、「量子もつれ」は、「量子絡み合い」とも称される。
【００１５】
上記の方法によれば、半導体物質に２個の親光子を照射して、生成した励起子分子を介して、光子対を生成する。そのため、生成された光子対における各光子の波長は、親光子の波長とほぼ同じとなる。よって、生成された光子の波長が親光子の２倍となる上記従来の技術と比較して、より短波長の光子からなる光子対を容易に生成することができる。
【００１６】
また、親光子から光子対までの中間状態として生成される励起子分子は、角運動量Ｊが０の状態（つまり、分極をもたない励起子分子の基底状態）である。そのため、該励起子分子が同時に分裂して発生された光子対は、偏光に関して量子もつれを有することとなる。すなわち、偏光に関する量子もつれの光子対を生成することができるという効果を奏する。
【００１７】
生成された光子対は、例えば、量子テレポーテーションに活用することができる。すなわち、生成された光子対は、偏光に関して量子もつれを有しており、距離に関係なく、一方の光子の偏光状態を観測した時点で、他方の光子の偏光状態も決定される。そのため、瞬時に情報を伝送することができる。
【００１８】
また、生成された光子対は、例えば、リソグラフィに活用することができる。リソグラフィにおいて、古典的電磁波としての光を用いると、その光の波長は、１個の光子のもつド・ブロイ波長とみなせる。一方、量子もつれの状態にある光子対の場合、該光子対（２個の光子からなる系）の運動量が各光子の２倍となるため、光子対としてのド・ブロイ波長は、１個の光子における波長の１／２となる。その結果、該光子対を用いたリソグラフィでは、従来のリソグラフィと比較して、空間分解能を２倍に向上させることができ、従来よりも微細な加工を実現することができる。
【００１９】
さらに、本発明に係る量子もつれ光子対の生成方法は、上記の構成に加えて、前記半導体物質が塩化第一銅であることを特徴としている。
【００２０】
塩化第一銅は、比較的大きなバンドギャップ（約３．４ｅＶ）を有しているため、紫外光領域のような短波長の光子対を生成するのに適している。また、塩化第一銅は、励起子および励起子分子において大きな束縛エネルギーを持っているため、低温下で励起子、励起子分子ともに非常に安定して存在する。それゆえ、上記の構成によれば、中間状態として生成した励起子分子を安定して存在させることができ、より確実に光子対を生成させることができるという効果を奏する。
【００２１】
さらに、本発明に係る量子もつれ光子対の生成方法は、上記の構成に加えて、前記親光子の波長が紫外領域であることを特徴としている。
【００２２】
上述したように、生成した光子対における各光子の波長は、親光子の波長とほぼ同じである。したがって、上記の構成によれば、生成した光子の波長は、紫外領域の短波長とすることができる。例えば、生成した光子対を用いてリソグラフィを行うことで、従来よりも微細な加工を行うことができるという効果を奏する。
【発明の効果】
【００２３】
本発明に係る量子もつれ光子対の生成方法は、半導体物質に２個の親光子を照射して、二光子共鳴励起によって角運動量が０の状態の励起子分子を生成し、生成した励起子分子を２個の光子に同時に分裂させ、量子もつれの光子対を生成するので、短波長であり、かつ、偏光に関する量子もつれの光子対を生成することができるという効果を奏する。
【発明を実施するための最良の形態】
【００２４】
本発明は、半導体結晶における励起子分子（励起子が２個結合したもの）に共鳴したハイパーパラメトリック散乱を利用して、エネルギー（周波数）、運動量（波数ベクトル）および偏光に関する量子もつれの光子対を生成する光子対生成方法である。
【００２５】
ここで、光子対が生成されるハイパーパラメトリック散乱（Resonant hyper parametric scattering：以下、ＲＨＰＳという）について説明する。
【００２６】
図１（ａ）は、ＲＨＰＳプロセスにおけるエネルギー状態を概念的に示す図である。角振動数ωｉを有する二つのポンプ光子（親光子）を試料に照射させ、二光子共鳴励起によって、励起子分子を生成させる。生成された励起子分子は、緩和を経ないで二つの光子（ポラリトン）に分裂する三次の非線形光学過程で、ポンプ光子とほぼ同じ角振動数（ωｓ、ωｓ’）を有する光子対として散乱する。
【００２７】
図１（ａ）では、励起子分子と、分裂後の二つの光子について簡略的に示したが、ＲＨＰＳでは、位相整合条件を考慮する必要がある。図１（ｂ）は、二次元波数空間におけるポラリトンの分散表面５と、ＲＨＰＳの位相整合条件とを示す図である。ポラリトンの分散表面５上のカーブ６は、位相整合条件を満足する状態を示している。図１（ｂ）に示されるように、各光子のエネルギーおよび運動量の足し合わせが、励起子分子のそれと同じになるように、光子対は、励起子分子より生成される。
【００２８】
本実施例では、励起子分子の状態が角運動量Ｊ＝０の状態（励起子分子における基底状態）となるように、二光子共鳴励起により励起子分子を生成することを特徴としている。励起子分子の角運動量Ｊが０である場合、該励起子分子により散乱された光子対の各々が有する角運動量の合計も０となる。これにより、散乱された光子対は、偏光に関して量子もつれをもつこととなる。
【００２９】
ここで、偏光に関する量子もつれを有する光子対において、偏光の状態関数Ψは、以下の式（１）のようになる。
【００３０】
【数１】
0003649408.tif 000002
【００３１】
ここで、Ｌｉ，Ｒｉ，ＨｉおよびＬｉは、各々光子ｉに関する左回り円偏光、右回り円偏光、水平直線偏光、垂直直線偏光を表す。
【００３２】
以下、本発明における光子対生成方法の具体的な実施例と、生成された光子対の評価結果について、図２〜図６を用いて説明する。
【００３３】
図２は、光子対を生成する光子対生成部１と、生成した光子対の特性を評価する特性評価部２とを示すブロック図である。図２に示されるように、光子対生成部１として、モード同期チタンサファイアレーザ装置１１と、第２高調波発生（ＳＨＧ）結晶１２、低温保持装置（クライオスタット）１３とを設置した。また、特性評価部２として、集光レンズ２１ａ・２１ｂ、偏光フィルタ２２ａ・２２ｂ、光ファイバ２３ａ・２３ｂ、モノクロメータ２４ａ・２４ｂ、ＣＣＤ（Charge Coupled Device ）２５、光電子増倍管（ＰＭＴ）２６ａ・２６ｂ、タイムインターバルアナライザ２７および情報処理装置２８・２９を設置した。
【００３４】
モード同期チタンサファイアレーザ装置１１は、短パルスのレーザ光を発生するチタンサファイアレーザ装置であり、所定の波長、パルス幅、繰り返し周波数で、レーザ光を出力する。ＳＨＧ結晶１２は、リチウム・トリボレート（ＬｉＢ３Ｏ５：ＬＢＯ）結晶であり、モード同期チタンサファイアレーザ装置１１から出力されたレーザ光の第２高調波を生成する。そして、生成された第２高調波は、クライオスタット１３に設置された試料に照射される。クライオスタット１３は、試料を低温に保持するものである。
【００３５】
集光レンズ２１ａ・２１ｂは、クライオスタット１３に置かれた試料において、ＲＨＰＳにより散乱された光子対の各々の光子を光ファイバ２３ａ・２３ｂに集光するためのものである。なお、光ファイバ２３ａ・２３ｂのそれぞれの前には、１／４波長板および直線偏光子を含む偏光フィルタ２２ａ・２２ｂが設置されている。偏光フィルタ２２ａ・２２ｂを所定の設定にすることで、透過する光子の偏光状態を変えることができる。光ファイバ２３ａ・２３ｂは、偏光フィルタ２２ａ・２２ｂを通過した光子をモノクロメータ２４ａ・２４ｂに導くものである。
【００３６】
なお、ＲＨＰＳにより散乱される光子対は、それぞれ位相整合条件に応じた異なる方向に放出される。そのため、集光レンズ２１ａ・２１ｂ、偏光フィルタ２２ａ・２２ｂおよび光ファイバ２３ａ・２３ｂについても、該位相整合条件を満たす所定の位置に設置される。
【００３７】
集光された光子は、二つのモノクロメータ２４ａ・２４ｂにより所定波長の単色光に分光される。そして、モノクロメータ２４ａ・２４ｂにより分光された光は、それぞれＰＭＴ２６ａ・２６ｂにより光子数が計数される。タイムインターバルアナライザ２７は、ＰＭＴ２６ａ・２６ｂからの単パルスの時間相関を、約３００ｐｓの分解能で測定する。情報処理装置２９は、タイムインターバルアナライザ２７により測定された情報を表示したり、所定の情報処理を行うものである。
【００３８】
また、モノクロメータ２４ａにはＣＣＤ２５が装着されており、該ＣＣＤ２５は、モノクロメータ２４ａに入力された光のスペクトルを観測する。情報処理装置２８は、ＣＣＤ２５が観測したスペクトルを表示したり、所定の情報処理を行うものである。
【００３９】
本実施例では、光子対を生成する試料として、塩化第一銅（ＣｕＣｌ）の半導体単結晶を用いた。ＣｕＣｌは、比較的大きなバンドギャップ（約３．４ｅＶ）を有しているため、紫外領域のような短波長の光子対を生成するのに適している。また、ＣｕＣｌ単結晶は、励起子および励起子分子において大きな束縛エネルギーを持っているため（励起子では約２００ｍｅＶ、励起子分子では約３０ｍｅＶ）、低温下で励起子、励起子分子ともに非常に安定して存在する。こららの特性により、ＣｕＣｌ単結晶は、励起子分子に共鳴したハイパーパラメトリック散乱の実験に適した材料である。
【００４０】
上記ＣｕＣｌ単結晶を、温度４Ｋに保持されたクライオスタット１３内に設置した。また、ＳＨＧ結晶１２から放出されるポンプ光子が、モード同期チタンサファイアレーザの第２高調波（波長：３８９ｎｍ（紫外領域の波長）、パルス幅：８ｐｓ、繰り返し周波数：８０ＭＨｚ）となるように、モード同期チタンサファイアレーザ装置１１から出力するレーザ光を設定した。ここで、ポンプ光子の光子エネルギーは３．１８６１ｅＶであり、これは、ＣｕＣｌ単結晶において、二光子励起共鳴により、角運動量Ｊ＝０の状態にある励起子分子を生成するエネルギーに相当する。
【００４１】
これにより、図１（ａ）で示したように、ＣｕＣｌ単結晶において、ポンプ光子が２個照射されることにより、角運動量Ｊ＝０状態の励起子分子が１個生成される。そして、生成された励起子分子は、二つの光子（光子対）に分裂する。このようにして、ＲＨＰＳによるプロセスがＣｕＣｌ単結晶内で行われ、光子対が散乱される。散乱された光子の波長は、ポンプ光子のそれとほぼ同じであり、約３９０ｎｍである。
【００４２】
散乱された光子対の一方は、集光レンズ２１ａ、偏光フィルタ２２ａおよび光ファイバ２３ａを通過して、モノクロメータ２４ａに集光される。同様に、他方の光子は、集光レンズ２１ｂ、偏光フィルタ２２ｂおよび光ファイバ２３ｂを通過して、モノクロメータ２４ｂに集光される。
【００４３】
図３は、ＣＣＤ２５が観測したモノクロメータ２４ａにおけるスペクトルを示すグラフである。図中矢印で示した最大ピークは、ポンプ光のエネルギー（３．１８６１ｅＶ）を有しており、ポンプ光のレイリー散乱光である。
【００４４】
上記レイリー散乱光の両側に、該レイリー散乱光に対して対称となる光子エネルギーを持つ２つのピーク（図中、ＬＥＰ（lower energy polariton）およびＨＥＰ（higher energy polariton）と示している）が認められた。該２つのピークの光子は、レイリー散乱光に対して対称となる光子エネルギーを有しているため、そのエネルギーの和がポンプ光の２倍、つまり、励起子分子のエネルギーに相当し、エネルギー相関を伴っていることがわかる。したがって、これら２つのピークは、ＲＨＰＳにより散乱された光子対のものである。なお、ＬＥＰで示されたピークは、光子対のうち低エネルギーのものであり、ＨＥＰで示されたピークは、光子対のうち高エネルギーのものである。また、ＬＥＰおよびＨＥＰで示されたピークにおける波長は、ポンプ光における波長とほぼ同じであり、約３９０ｎｍである。
【００４５】
また、図３において、ＭＬおよびＭＴで示したピークは、ＲＨＰＳと異なる過程で励起子分子が崩壊するときの発光ピークである。すなわち、生成された励起子分子の一部は、縦波（Longitudinal）励起子もしくは横波（Transverse）励起子を残して崩壊し、その際、発光を伴う。ＭＬで示したピークは、縦波励起子を残して励起子分子が崩壊したときの発光ピークであり、ＭＴで示したピークは、横波励起子を残して励起子分子が崩壊したときの発光ピークである。残された励起子は、しばらくの間励起子として存在した後、別の励起子発光を伴って基底状態に遷移する。これら励起子分子発光（ＭＬ，ＭＴ）および励起子発光は、ＲＨＰＳと同様に、励起子分子を基とした発光であるが、励起子として有限の時間半導体結晶中に存在している間に緩和を受ける。そのため、励起子分子発光（ＭＬ，ＭＴ）と励起子発光との間の量子もつれは消滅してしまうと考えられる。そこで、モノクロメータ２４ａ・２４ｂにおいて、ＲＨＰＳによる散乱光子と、上記ＭＬ，ＭＴおよび励起子発光の成分との波長が異なることを利用して、ＲＨＰＳによる散乱光子のみを抽出した。
【００４６】
図４は、モノクロメータ２４ａおよびモノクロメータ２４ｂに入射された光子の時間を基に、ＲＨＰＳによりＣｕＣｌ単結晶から２方向に放出された散乱光子間の時間差τを分析した結果である。なお、図４は、偏光フィルタ２２ａ・２２ｂによる偏光処理を行っていないときの結果である。図４に示されるように、時間差τ＝０のときの信号が最も大きい。このことは、一つの励起子分子から時間相関を伴う光子対が生成されていることを意味している。
【００４７】
なお、時間差τ＝０以外のピークは、互いに相関性のない光子間によるものである。相関性のない光子とは、試料に連続して入射されるポンプパルスによって生成された異なる励起子分子から放出されるものである。時間差τ＝０のピークにおいても、異なる励起子分子から放出された光子間のピーク成分（非相関ピーク成分）が含まれている。該非相関ピーク成分は、時間差τ＝０以外のピークと同量である。
【００４８】
以上のように、ＣｕＣｌ単結晶において、二光子共鳴励起により角運動量Ｊ＝０状態の励起子分子を生成し、生成した励起子分子が自発的に光子対に変換させた。変換された光子対は、図３に示した実験結果からエネルギー相関をもつとともに、図４に示した実験結果から時間相関をもつことがわかった。次に、本発明者は、変換された光子対が、偏光に関する量子もつれを有しているか否かを確認した。
【００４９】
図５は、４つの直線偏光の組み合わせ（ＨＨ、ＨＶ、ＶＨ、ＶＶ）について、時間差τと、光子の同時計数値との関係を示す図である。ここで、ＨおよびＶとは光子の偏光を表しており、Ｈは水平直線偏光を、Ｖは垂直直線偏光を示している。すなわち、ＨＨは、偏光フィルタ２２ａ・２２ｂの両方を水平直線偏光の光子のみを透過させるように設定した場合の結果である。同様に、ＨＶは、偏光フィルタ２２ａを水平直線偏光、偏光フィルタ２２ｂを垂直直線偏光の光子を透過させるように、ＶＨは、偏光フィルタ２２ａを垂直直線偏光、偏光フィルタ２２ｂを水平直線偏光の光子を透過させるように、ＶＶは、偏光フィルタ２２ａ・２２ｂの両方を垂直直線偏光の光子のみを透過させるように設定した場合の結果である。
【００５０】
図５において、点線は、時間差τ＝０以外のピークの同時計数値を示す線であり、異なる励起子分子から生成された相関性のない光子間による成分（非相関性ピーク成分）である。各組み合わせ（ＨＨ、ＨＶ、ＶＨ、ＶＶ）において、時間差τ＝０のピークを比較すると、ＨＨおよびＶＶが高い値を示し、ＨＶおよびＶＨは、非相関性ピーク成分と同じであることがわかる。このことは、ＲＨＰＳにより散乱された光子対は、一方が水平直線偏光（垂直直線偏光）であれば、他方も水平直線偏光（垂直直線偏光）であることを示しており、上記式（１）に従っている。つまり、該光子対は直線偏光に関して式（１）に従う強い相関が生じていることがわかる。
【００５１】
さらに、Ｈ（水平直線偏光）、Ｖ（垂直直線偏光）、Ｒ（右回り円偏光）、Ｌ（左回り円偏光）、Ｄ（４５°の直線偏光）およびＤ’（−４５°の直線偏光）の偏光組み合わせ（１６以上）の信号を測定することによって、二光子偏光状態の密度行列を導出した。図６（ａ）（ｂ）は、導出した密度行列の実部および虚部を表している。
【００５２】
図６に示されるように、密度行列は、｜ＨＨ＞＜ＨＨ｜，｜ＶＶ＞＜ＶＶ｜，｜ＨＨ＞＜ＶＶ｜，｜ＶＶ＞＜ＨＨ｜において強度が高くなった。非対角成分である｜ＨＨ＞＜ＶＶ｜および｜ＶＶ＞＜ＨＨ｜は、｜ＨＨ＞状態と｜ＶＶ＞状態との間のコヒーレンスを表している。そのため、生成された光子対は、良好なコヒーレンスを伴う量子もつれを有する。
【００５３】
状態Ψに対する忠実度Ｆは、次式（２）で表される。
【００５４】
【数２】
0003649408.tif 000003
【００５５】
ここで、ρは測定された密度行列を、｜Ψ＞は状態ベクトルを表している。本実施例では、光子対が次式（３）に示すような状態ベクトルを有すると仮定する。
【００５６】
【数３】
0003649408.tif 000004
【００５７】
観測された状態に対する忠実度Ｆは、０．８３となった。これは、古典的限界（Ｆ＝０．５）を大きく凌駕しており、観測された状態が古典的には表すことのできない量子もつれをもつことを証明している。
【００５８】
上記非特許文献６では、ＲＨＰＳによる散乱が理論的に提示されていたが、実験的に光子対が生成されていない。また、非特許文献６では、励起子分子の状態を角運動量Ｊ＝０とすることについて開示されていない。これに対し、本発明者は、半導体結晶において、角運動量Ｊ＝０の状態（励起子分子における基底状態）の励起子分子を生成することで、エネルギー、運動量および時間において相関し、さらに、偏光に関する量子もつれを有する光子対を生成することに実験的に成功した。
【００５９】
また、非特許文献５に示した従来のパラメトリック下方変換では、生成された光子の波長は、ポンプ光子の波長の２倍であった。一方、本実施例において生成された光子の波長は、ポンプ光子の波長とほぼ同じである。したがって、本実施例では、従来の技術と比較して、より短波長の量子もつれの光子を生成することが可能となる。なお、本実施例では、生成された光子の波長は、ポンプ光子の波長とほぼ同じ約３９０ｎｍ（紫外領域の波長）である。
【００６０】
上記のように生成された光子対は、式（１）に示す一つの波動関数を共有することとなる。ここで、一つの波動関数を共有する光子対のそれぞれの光子を光子Ａ・Ｂとする。そして、送信側から受信側に対して情報ｃを伝送するものとする。このとき、送信側が光子Ａを、受信側が光子Ｂを持つとする。情報ｃを載せた光子Ｃと光子Ａとを新たに偏光において量子もつれの状態とし、交換可能な観測量により観測する。ここで、不確定性原理により量子的な情報が失われてしまうが、光子Ａとはじめに量子もつれの状態にあった光子Ｂには、光子Ｃの情報が移されることとなる。すなわち、情報ｃを瞬時に移動させることができ、量子テレポーテーションが実現される。
【００６１】
また、古典的電磁波としての光の波長λは、１個の光子のもつド・ブロイ波長ともみなせる。ここで上記のように、エネルギー、運動量および偏光に関して量子もつれの状態にある二つの光子がまとまった状態を考慮する。各光子の運動量をｐとすると、２個の光子からなる系の運動量は２ｐとなる。そのため、この系におけるド・ブロイ波長λ２は、
λ２＝ｈ／２ｐ＝λ／２
となり、１個の光子における波長の１／２となる。
【００６２】
光を用いた従来のリソグラフィでは、光の回折による空間分解能の限界のため、光の波長程度以下の微細加工を実現することが困難であった。しかしながら、上記のように、ＲＨＰＳにより生成された光子対は、時間、エネルギー、運動量に関して相関があるため、光子対としてまとめた系のド・ブロイ波長は、各光子の波長の約１／２となる。すなわち、励起子分子を生成するために使用したポンプ光子の波長の約１／２となる。その結果、量子もつれにある光子対を用いた量子リソグラフィでは、古典的なリソグラフィと比較して、空間分解能を２倍に向上させることができる。上記実施形態では、生成された量子もつれの光子の波長が約３９０ｎｍであるため、光子対としてのド・ブロイ波長は約１９５ｎｍとなる。よって、該光子対を量子リソグラフィに利用することで、約１９５ｎｍ程度の微細加工を実現することができる。
【００６３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００６４】
本発明によれば、エネルギー、運動量、時間相関があり、かつ、偏光に関して量子もつれを有する光子対を生成することができる。該光子対は、偏光に関して量子もつれの状態にあるため、量子テレポーテーションを利用した量子暗号などの量子情報通信技術に適用することができる。また、生成された光子は、短波長であるため、古典的回折限界を超えた量子リソグラフィなどの量子イメージング技術に適用することができる。
【図面の簡単な説明】
【００６５】
【図１】（ａ）は、ハイパーパラメトリック散乱（ＲＨＰＳ）におけるエネルギー状態を示す図であり、（ｂ）は、二次元波数空間におけるポラリトンの分散曲線と、ＲＨＰＳの位相整合条件を示す図である。
【図２】本発明の実施例における実験設備を示す平面図である。
【図３】光子エネルギーに対する試料からの散乱光の分布を示すスペクトル図である。
【図４】ＲＨＰＳにより放出された光子間の時間相関を示すグラフである。
【図５】直線偏光の組み合わせに対する光子間の時間相関を示すグラフである。
【図６】光子間の相関結果より導出された二光子偏光状態の密度行列を示す図であり、（ａ）は実部を、（ｂ）は虚部を表している。
【符号の説明】
【００６６】
１    光子対生成部
２    特性評価部
５    分散表面
６    カーブ
１１    モード同期チタンサファイアレーザ装置
１２    ＳＨＧ（第２高調波発生）結晶
１３    クライオスタット
２１ａ・２１ｂ    集光レンズ
２２ａ・２２ｂ    偏光フィルタ
２３ａ・２３ｂ    光ファイバ
２４ａ・２４ｂ    モノクロメータ
２５    ＣＣＤ
２６ａ・２６ｂ    ＰＭＴ（光電子増倍管）
２７    タイムインターバルアナライザ
２８・２９    情報処理装置
【要約】
【課題】  各光子が短波長であり、かつ、偏光に関する量子もつれの光子対の生成を可能とする光子対生成方法を実現する。
【解決手段】  本発明の量子もつれ光子対の生成方法は、ＣｕＣｌ等の半導体物質に２個の親光子（角振動数ωｉ）を照射して、二光子共鳴励起によって角運動量が０の状態の励起子分子を生成する。そして、生成した励起子分子を２個の光子（角振動数ωｓ、ωｓ’）に同時に分裂させて光子対を生成する。生成した光子対は、角運動量０の励起子分子が分裂したものであるため、偏光に関して量子もつれをもつ。また、生成した光子の波長は、親光子の波長とほぼ同じになるため、より短波長の量子もつれの光子を生成することができる。
【選択図】  図１
【図１】
0003649408.tif 000005
【図２】
0003649408.tif 000006
【図３】
0003649408.tif 000007
【図４】
0003649408.tif 000008
【図５】
0003649408.tif 000009
【図６】
0003649408.tif 000010